(57)【特許請求の範囲】
【請求項１】
細長い器具本体と、この器具本体の長手方向両端に夫々取付けられるとともに前記器具本体の外側に取外して配置可能なランプソケットと、コ字状をなして前記器具本体に取外し可能に取付けられ前記器具本体を天井に設置する際に当該天井と器具本体との間に介在して使用される一対の取付金具と、を備えた照明器具を包装する一枚の板材からなる照明器具用包装装置において、
細長矩形状をなす底面部、この底面部の左側に折り筋線を介して順次連続した第１側面部、第１天面部、及び第２側面部を有し、これら第１側面部、第１天面部、及び第２側面部を折曲げて筒形に形成され、前記底面部の左側部位に沿って載置された前記器具本体を覆う筒Ａ部と：
前記底面部、この底面部の右側に折り筋線を介して順次連続した第３側面部、第２天面部、及び第４側面部を有し、これら第３側面部、第２天面部、及び第４側面部を折曲げるとともに前記第４側面部を前記筒Ａ部の第２側面部に当接させて筒状に形成され、前記照明器具の側方でかつ前記底面部の右側部位に載置された前記ランプソケット及び前記取付金具を覆う筒状の筒Ｂ部と；
前記底面部の長手方向両端に折り筋線を介して設けられた第１０面、この第１０面上に組立てられた緩衝体Ａ、及び前記第１０面上に組立てられて前記緩衝体Ａに突き合わされて隣り合う緩衝体Ｂとからなり、前記底面部の長手方向両端部上に夫々配置される緩衝体と；
から構成されているとともに、
前記緩衝体Ａが、前記第１０面の左側に折り筋線を介して順次設けられた第１１面から第１５面を有し、前記第１１面から第１３面がコ字状に折り曲げられるとともに、前記第１０面に接する第１４面及びこれから折り曲げられた第１５面がＬ字状の折り返し片を形成し、前記第１５面が前記第１１面と第１３面との間にこれら両面から離れて前記両面に対して平行となるように折り曲げられていて、この第１５面の先端に形成した係止凸部を前記第１２面に設けた係止孔に挿入して形成され、かつ、この緩衝体Ａが、前記第１５面を前記器具本体の長手方向に沿わせるとともに前記係止凸部を前記器具本体に向けた姿勢で前記器具本体の長手方向の端を支持するように配置され、
前記緩衝体Ｂが、前記第１０面の右側に折り筋線を介して順次設けられた第１８面から第２１面を有し、前記第２０面が前記第１３面に突き合わされるとともに前記第２１面が前記第１０面に接して略ロ字状に折り曲げて形成されることを特徴とする照明器具用包装装置。
【請求項２】
コ字形をなした前記一対の取付金具がロ字状に組み合わされて前記底面部上に載置され、このロ字状に組み合わされた一対の取付金具間に差し込まれる係止片を、前記筒Ｂ部の第４側面部に設けたことを特徴とする請求項１記載の照明器具用包装装置。
【請求項３】
前記筒Ａ部の第２側面部の長手方向両端部に前記ランプソケットと前記筒Ｂ部の第２天面部との間に介在する保護片を設け、前記筒Ｂ部の第４側面部は前記保護片に対応する部分に存在しないことを特徴とする請求項１又は２に記載の照明器具用包装装置。
【発明の詳細な説明】
【０００１】
【発明の属する技術分野】
本発明は、照明器具の器具本体と当該器具本体に取り外し可能に取付けられる取付金具等を同一梱包する一枚の板材からなる照明器具用包装装置に関する。
【０００２】
【従来の技術】
照明器具を包装する際、容積効率などの面から、器具本体と反射板とを別々に梱包している場合があり、当従来技術に係る照明器具用包装装置は、細長い筒状の器具本体と、当該器具本体に取り外し可能に取付けられる取付金具とランプソケットとを同一梱包する場合に関するものである。
【０００３】
以下、従来技術について、図８から図１１を参照して説明する。
【０００４】
当該包装装置に包装する器具本体５０は、図８に示すように、細長い筒状で、当該器具本体５０の下方両端には、器具本体を天井に施工する際に器具本体と天井（図示せず）との間に介在する下方開口する略コ字状に形成された取付金具５２，５２がそれぞれ取外し可能に取付けられており、これら取付金具５２の端部中央には、ランプソケット５４が着脱可能に取付けられている。なお、右側に示す取付金具は、当該取付金具を器具本体から取外した状態を図示したもので、当該ランプソケット５４には、器具本体に配設された２本の配線コード５５が接続されている。
【０００５】
従来技術に係る照明器具用包装装置の構成部品を説明する。
【０００６】
照明器具用包装装置は、器具本体５０を巻込むとともに取付金具を係止する一枚の段ボール材からなる矩形状の固定板５６と、器具本体の両端にそれぞれ配置される一枚の段ボール材からなる一対の筒状の緩衝体６５，６５と、固定板５６と当該固定板の両端にそれぞれ配置される一対の緩衝体６５，６５の外周とを巻込む一枚の段ボール材からなる矩形状の巻板７０とから構成している。
【０００７】
固定板５６は、図１０に示すように、矩形状をなし、長手方向に沿った中央には、細長状で両端に取付金具５２の上面を係止する十字状孔からなる引掛係止孔６１，６１をそれぞれ有する天面部５７と、当該天面部の両側に折り筋線６０を介してそれぞれ形成された側面部５８，５８と底面部５９，５９とから構成されている。
【０００８】
上記固定板５６は、器具本体５０の中央部を覆うとともに底面部５９，５９同士を重合させて筒形状に折曲げて当該器具本体５０を包装し、器具本体に対する包装強度をアップさせている。前記筒形状に折曲げられた天面部５７を上部側に配置し、この天面部の両端にそれぞれ穿設されている引掛係止孔６１，６１には、ランプソケットが取付けられている取付金具５２が引っ掛け係止する。
【０００９】
巻板７０は、図９に示すように、固定板５６が巻付けられた器具本体５０を中央に載置する細長状の底面部７１と、当該底面部の両側に夫々折り筋線７４を介して形成された側面部７２，７２と天面部７３，７３とから構成している。
【００１０】
器具本体の両端にそれぞれ配置される緩衝体６５は、一枚の細長状の段ボール材の両端から筒状に折曲げ底面部６６裏面側で重合するとともにお互いに当接する筒体Ａ６７と筒体Ｂ６８とから形成され、当該筒体Ａ６７と筒体Ｂ６８とをテープ６９でテープ止めすることにより筒状に保持・形成したものである。
【００１１】
従来技術に係る照明器具用包装装置の包装方法を説明する。
【００１２】
最初に、固定板５６の天面部５７が上部に位置するように、当該固定板を器具本体５０の中央に巻き付けたのち、この器具本体を巻板７０の底面部７１の真ん中に載置する。それから、取付金具５２を固定板の引掛係止孔６１に引っ掛け係止する。
【００１３】
つぎに、器具本体５０の両端に緩衝体６５，６５をそれぞれ配置し、当該緩衝体と取付金具５２を包むように巻板７０を筒状に折曲げ、巻板の天面部７３，７３同士を重ね合せる。
【００１４】
最後に、天面部７３と側面部７２にかけてテープ６９を５ケ所貼り付けるとともに、緩衝体６５を天面部７３と底面部７１にかけてテープ７６を中央に貼り付け包装を完了する。
【００１５】
【発明が解決しようとする課題】
上記のように従来の照明器具用包装装置は、固定板５６と一対の緩衝体６５，６５と巻板７０とから構成していることから部品点数が多く、同時に、包装材の使用量も多い。また、包装装置を封緘する際、テープを貼り付ける箇所が多い。このため、梱包作業性及び廃棄処理性に手間を要するという問題があった。
【００１６】
本発明は上記の点に鑑みてなされたもので、包装部品の点数が少なく、廃棄処理にも手間を要しない照明器具用包装装置を提供することを課題とする。
【００１７】
【課題を解決するための手段】
請求項１に係る発明の照明器具用包装装置は、細長い器具本体と、この器具本体の長手方向両端に夫々取付けられるとともに前記器具本体の外側に取外して配置可能なランプソケットと、コ字状をなして前記器具本体に取外し可能に取付けられ前記器具本体を天井に設置する際に当該天井と器具本体との間に介在して使用される一対の取付金具と、を備えた照明器具を包装する一枚の板材からなる照明器具用包装装置を前提とする。
そして、前記課題を解決するために、細長矩形状をなす底面部、この底面部の左側に折り筋線を介して順次連続した第１側面部、第１天面部、及び第２側面部を有し、これら第１側面部、第１天面部、及び第２側面部を折曲げて筒形に形成され、前記底面部の左側部位に沿って載置された前記器具本体を覆う筒Ａ部と：前記底面部、この底面部の右側に折り筋線を介して順次連続した第３側面部、第２天面部、及び第４側面部を有し、これら第３側面部、第２天面部、及び第４側面部を折曲げるとともに前記第４側面部を前記筒Ａ部の第２側面部に当接させて筒状に形成され、前記照明器具の側方でかつ前記底面部の右側部位に載置された前記ランプソケット及び前記取付金具を覆う筒状の筒Ｂ部と；前記底面部の長手方向両端に折り筋線を介して設けられた第１０面、この第１０面上に組立てられた緩衝体Ａ、及び前記第１０面上に組立てられて前記緩衝体Ａに突き合わされて隣り合う緩衝体Ｂとからなり、前記底面部の長手方向両端部上に夫々配置される緩衝体と；から構成されている。
更に、前記緩衝体Ａが、前記第１０面の左側に折り筋線を介して順次設けられた第１１面から第１５面を有し、前記第１１面から第１３面がコ字状に折り曲げられるとともに、前記第１０面に接する第１４面及びこれから折り曲げられた第１５面がＬ字状の折り返し片を形成し、前記第１５面が前記第１１面と第１３面との間にこれら両面から離れて前記両面に対して平行となるように折り曲げられていて、この第１５面の先端に形成した係止凸部を前記第１２面に設けた係止孔に挿入して形成され、かつ、この緩衝体Ａが、前記第１５面を前記器具本体の長手方向に沿わせるとともに前記係止凸部を前記器具本体に向けた姿勢で前記器具本体の長手方向の端を支持するように配置され、前記緩衝体Ｂが、前記第１０面の右側に折り筋線を介して順次設けられた第１８面から第２１面を有し、前記第２０面が前記第１３面に突き合わされるとともに前記第２１面が前記第１０面に接して略ロ字状に折り曲げて形成されることを特徴とするものである。
【００１８】
請求項２に係る発明の照明器具用包装装置は、請求項１の発明において、コ字形をなした前記一対の取付金具がロ字状に組み合わされて前記底面部上に載置され、このロ字状に組み合わされた一対の取付金具間に差し込まれる係止片を、前記筒Ｂ部の第４側面部に設けたことを特徴とするものである。
【００１９】
請求項３に係る発明の照明器具用包装装置は、請求項１又は２の発明において、前記筒Ａ部の第２側面部の長手方向両端部に前記ランプソケットと前記筒Ｂ部の第２天面部との間に介在する保護片を設け、前記筒Ｂ部の第４側面部は前記保護片に対応する部分に存在しないことを特徴とするものである。
【００２１】
上記の請求項１記載の構成において、器具本体と当該器具本体の脇にランプソケットと取付金具を配置するとともに、器具本体を巻き込む筒状の筒Ａ部と、ランプソケットと取付金具を巻き込む筒状の筒Ｂ部と、長手方向両端に両側から巻き込んで作る緩衝体とからなる包装装置を一枚の板材から構成したことから包装部品の点数が少なく、廃棄処理にも手間を要しない包装装置を提供することが可能となる。更に、緩衝体Ａの内側中央に折り返し片を設けることで緩衝効果を上げている。
【００２２】
請求項２記載の構成において、筒Ｂ部には、包装装置を筒形にする際、取付金具に挿入する係止片を有し、当該係止片で、取付金具を固定し、筒Ｂ部内での動きを規制する。
【００２３】
請求項３記載の構成において、筒Ａ部には、筒形にする際、ランプソケットを保護する保護片を設けることで、開梱時のカッターによるランプソケットなどの傷つきを防止する。
【００２５】
【発明の実施の形態】
以下、図１から図７を参照して本発明の実施の形態を説明する。図１は本発明に係る一枚の包装板材からなる照明器具用包装装置を展開した状態を示したもので、当該包装装置は、包装装置主部１と当該包装装置主部１の両端に設けられた緩衝体１７とから構成している。
【００２６】
前記包装装置主部１は、略矩形状をなす一枚の包装板材からなり、長手方向中央には、細長状の矩形状をなす底面部２と、当該底面部の左側に折り筋線８を介して側面部（外）３と、天面部４と、当該天面部の長さより短く且つ中央に設けられた側面部（内）５と、当該側面部（内）５の両端と切り離され天面部と折り筋線８を介して設けられた保護片６，６とから構成されている。また、当該底面部の右側に折り筋線８を介して側面部（外）１０と、天面部１１と、当該天面部の長さより短く且つ中央に設けられた係止片１２と、当該係止片の両端と切り離され天面部１１と折り筋線８を介して設けられた側面部（内）１３，１３とから構成されている。
【００２７】
前記緩衝体１７は、包装装置主部１の底面部２の両端に設けられた折り筋線３３を介して設けられた矩形状の第１０面２１と、当該第１０面の左側に折り筋線３９を介して設けられた矩形状の第１１面２２と、スリット状の係止孔２７を有する矩形状の第１２面２３と、係止片２８を有する矩形状の第１３面２４と、矩形状の第１４面２５と、端部に前記係止孔２７に係止される係止凸部２９を有する第１５面２６とから構成するとともに、当該第１０面の右側には、折り筋線３９を介して設けられた矩形状の第１８面３４と、矩形状の第１９面３５と、係止片２８を有する矩形状の第２０面３６と、矩形状の第２１面３７とから構成している。なお、Ａは、段ボール材の中芯の方向を示すものである。
【００２８】
図２は本発明に係る包装装置に包装される筒形の器具本体４０と、当該器具本体４０の下方両端にそれぞれ取り付けられたランプソケット４４．４４と、これらランプソケットの内側にそれぞれ取り付けられた取付金具４２，４２とを示すもので、当該取付金具は、下方開口したコ字形をなし、照明器具を天井に施工する際に、当該天井と器具本体との間に介在するものである。図３は当該器具本体４０に反射体４５を取り付けた照明器具を示すものである。
【００２９】
つぎに、本発明に係る包装装置を使用して、器具本体とランプソケットと取付金具とを包装する手順を説明する。
【００３０】
予め、ランプソケット４４，４４と取付金具４２，４２とをそれぞれ器具本体４０から取り外しておく。この状態では、ランプソケット４４には配線コード５５が接続した状態になっている。なお、ランプソケット４４には配線コード５５が接続されていないものであってもよい。
【００３１】
最初に、図５に示すように、包装装置主部１の底面部２両端に折り筋線３３を介して形成された第１０面２１の左側に折り筋線３９を介して緩衝体として設けた第１１面２２から第１３面２４を下方開口したコ字状に折曲げるとともに、第１４面２５と第１５面２６とをＬ字状に折曲げて折り返し片１８ａを形成し、当該折り返し片１８ａの端部に形成した係止凸部２９を第１２面２３に設けた係止孔２７に挿入・固定して略筒状の緩衝体Ａ１８を形成する。さらに、第１０面の右側に折り筋線３９を介して緩衝体として設けた第１８面３４から第２１面３７を奥側に向けて略ロ字状に折曲げ緩衝体Ｂ１９を形成する。
【００３２】
前記緩衝体Ａ１８の第１３面２４と緩衝体Ｂ１９の第２０面３６とは、お互いに突き合わされており、第１３面２４および第２０面３６にそれぞれ形成された係止片２８，２８を折曲げることにより、緩衝体Ａ１８と緩衝体Ｂ１９とはお互いに係止される。それから、図５（Ｂ）に示すように、隣り合わせに組立てられた緩衝体Ａ１８と緩衝体Ｂ１９とからなる緩衝体１７を折り筋線３３に沿って底面部２側に折曲げる。また、前記筒状の緩衝体１７は、より緩衝効果を上げるために、器具本体断面内に第１１面２２，第１３面２３，第１５面２６，第２０面３６がそれぞれあてがわれている。
【００３３】
つぎに、図４に示すように、包装装置の底面部２の左側に沿って細長い筒形器具本体４０を緩衝体１７．１７間に載置するとともに、器具本体の下面両端にそれぞれ取付けられる一対のランプソケット４４，４４を器具本体４０の両脇にそれぞれ載置する。それから、側面部（外）３と天面部４と側面部（内）５とを折り筋線８に沿って手前側にそれぞれ折曲げて筒形に形成した筒Ａ部１５で前記器具本体４０を巻き込む。その際、ランプソケット４４の上部を覆うように側面部（内）５の両端を切り離し形成した保護片６，６をランプソケット４４，４４と後述する筒Ｂ部１６の天面部１１との間に介在したので、開梱時、テープ４８  （図７参照）をカッターナイフで切断する際、ランプソケット４４や配線コード５５の傷付きを保護片６で保護する。
【００３４】
前記取付金具の開口部同士を組み合わせて略ロ字状に組み合わせた一対の取付金具４２，４２を側面部（内）５の手前側中央の底面部２上に載置する。それから、側面部（外）１０と天面部１１と側面部（内）１３とで前記筒Ａ部１５と隣合うよう筒形に形成した筒Ｂ部１６で前記取付金具４２，４２とランプソケット４４，４４を巻き込む。このとき、ロ字状に組合わせた一対の取付金具４２，４２の間に側面部（内）１３の中央部を切り離し形成した係止片１２を差し込むことで、取付金具４２，４２が筒Ｂ部１６内で移動するのを防止する。なお、筒Ｂ部１６を形成したとき、側面部（内）１３，１３は、筒Ａ部１５の側面部（内）５と当接した状態に成っている。なお、一対の取付金具４２，４２は、ロ字状に組合わせたもので説明したが、一対の取付金具４２，４２を直列に配置するとともに、側面部（内）１３に設けた係止片１２を直列に配置した取付金具４２，４２に対応して２片設けてもよい。
【００３５】
最後に、図７に示すように、組立てられた筒Ａ部１５と筒Ｂ部１６との接合線に沿ってテープ４８を緩衝体１７にかけて貼り付けて梱包作業を完了する
次に上記実施の形態の作用を説明する。
【００３６】
器具本体４０と当該器具本体４０の脇にランプソケット４４と取付金具４２を配置するとともに、器具本体４０を巻き込む筒状の筒Ａ部と、ランプソケット４４と取付金具４２を巻き込む筒状の筒Ｂ部と、両端部に両側から巻き込んで作る緩衝体１７とからなる包装装置を一枚の板材から構成したことから包装部品の点数が少なく、廃棄処理にも手間を要しない。
【００３７】
筒Ｂ部には、包装装置を筒形にする際、取付金具４２に係止片１２を挿入し、当該係止片１２で、取付金具４２を固定し、筒Ｂ部内での動きを防止する。
【００３８】
筒Ａ部には、筒形にする際、ランプソケット４４を保護する保護片６を設けることで、開梱時のカッターによるランプソケット４４や配線コード５５の傷つきを防止する。
【００３９】
緩衝体Ａの内側中央に折り返し片１８ａを設けたので、緩衝効果を上げている。
【００４０】
【発明の効果】
以上詳記したように請求項１記載の本発明によれば、部品点数の低減による組立性がアップするとともに包装材使用量も低減する。また、廃材処理がしやすくなる。さらに、封緘時のテープ貼りが真ん中に出来、自動テープ貼り機が使用でき、梱包作業性がアップする。しかも、緩衝体Ａの内側中央に折り返し片を設けたので緩衝効果を上げている。
【００４１】
請求項２記載の構成において、筒Ｂ部には、包装装置を筒形にする際、取付金具に係止片を挿入し、当該係止片で、取付金具を固定し、筒Ｂ部内での動きを防止する。
【００４２】
請求項３記載の本発明によれば、筒Ａ部には、筒形にする際、ランプソケットを保護する保護片を設けることで、開梱時のカッターによるランプソケットなどの傷つきを防止する。
【図面の簡単な説明】
【図１】  本発明の第１実施の形態に係る照明器具用包装装置を展開した状態を示す展開図。
【図２】  同実施の形態における照明器具用包装装置で包装される照明器具の器具本体を示す斜視図。
【図３】  同実施の形態における照明器具を示す側面図。
【図４】  同実施の形態における照明器具用包装装置で器具本体を包装する手順を示す斜視図。
【図５】  同上の端部側の拡大図を示すもので、（Ａ）は斜視図。 （Ｂ）は端部に折曲げ形成した緩衝体Ａと緩衝体Ｂとからなる緩衝体を示す斜視図。
【図６】  同実施の形態における照明器具用包装装置の端部に折曲げ形成した緩衝体Ａと緩衝体Ｂとの関係を示す平面図。
【図７】  同実施の形態における照明器具用包装装置を組立て当該照明器具用包装装置をテープで封緘した状態を示す斜視図。
【図８】  従来技術に係る器具本体とランプソケットが取り付けられた取付金具とを示す斜視図。
【図９】  従来技術に係る照明器具用包装装置の全体構成を示す斜視図。
【図１０】  同上従来技術に係る照明器具用包装装置の固定板を示す展開図。
【図１１】  同上従来技術に係る照明器具用包装装置を組立て当該照明器具用包装装置をテープで封緘した状態を示す斜視図。
【符号の説明】
１…包装装置主部，２…底面部，３…第１側面部としての側面部（外），４…天面部（第１天面部），５…第２側面部としての側面部（内），６…保護片，８…折り筋線，１０…第３側面部としての側面部（外），１１…天面部（第２天面部），１２…係止片，１３…第４側面部としての側面部（内），１５…筒Ａ部，１６…筒Ｂ部，１７…緩衝体，１８…緩衝体Ａ，１８ａ…折り返し片，１９…緩衝体Ｂ，２１…第１０面，２２…第１１面，２３…第１２面，２４…第１３面，２５…第１４面，２６…第１５面，２７…係止孔，２８…係止片，２９…係止凸部，３３…折り筋線，３４…第１８面，３５…第１９面，３６…第２０面，３７…第２１面，３０…折り筋線，４０…器具本体，４２…取付金具，４４…ランプソケット。
【図１】
0003921742.tif 000002
【図２】
0003921742.tif 000003
【図３】
0003921742.tif 000004
【図４】
0003921742.tif 000005
【図５】
0003921742.tif 000006
【図６】
0003921742.tif 000007
【図７】
0003921742.tif 000008
【図８】
0003921742.tif 000009
【図９】
0003921742.tif 000010
【図１０】
0003921742.tif 000011
【図１１】
0003921742.tif 000012